(57)【要約】【課題】圧縮機が損傷するのを抑制する。【解決手段】圧縮機１０は、ケーシング２０と、複数のターミナルピン２９と、ターミナル保護部９０と、を備える。複数のターミナルピン２９は、ケーシング２０に固定される。ターミナル保護部９０は、前記複数のターミナルピン２９を覆う。ターミナル保護部９０は、仕切り７５を有する。仕切り７５は、複数のターミナルピン２９を個別に仕切る。【選択図】図８
2019163747.tif 000002
【特許請求の範囲】
【請求項１】
ケーシング（２０）と、
前記ケーシングに固定される複数のターミナルピン（２９）と、
前記複数のターミナルピンを覆うターミナル保護部（９０）と、
を備え、
前記ターミナル保護部は、前記複数のターミナルピンを個別に仕切る仕切り（７５）を有する、圧縮機（１０）。
【請求項２】
前記ターミナル保護部は、
前記ケーシングに固定され、前記複数のターミナルピンを囲うターミナルガード（８０）と、
前記ターミナルガードに着脱可能に取り付けられるターミナルカバー（７０）と、
を有し、
前記仕切りは前記ターミナルカバーに設けられている、請求項１に記載の圧縮機。
【請求項３】
前記ターミナルカバーは、前記ターミナルガードの開口部を覆う本体（７１）をさらに有し、前記仕切りは、前記本体と一体の部品である、請求項２に記載の圧縮機。
【請求項４】
前記仕切りは、隣接する前記複数のターミナルピンを仕切る第１仕切り部（７６）と、前記複数のターミナルピンを前記ターミナルガードと仕切る第２仕切り部（７７）と、を有する、請求項２又は３に記載の圧縮機。
【請求項５】
前記第２仕切り部には、前記複数のターミナルピンにそれぞれ装着される端子（２６）から延びるリード線（２５）を通過させるための切欠き（７８）が形成されている、請求項４に記載の圧縮機。
【請求項６】
前記切欠きの幅（ｂ）は前記リード線の太さ（ａ）よりも大きく、かつ、前記端子の厚み（ｃ）よりも小さい、請求項５に記載の圧縮機。
【発明の詳細な説明】
【技術分野】
【０００１】
冷凍機械等に用いられる圧縮機。
【背景技術】
【０００２】
特許文献１（特開２０１８−１６８７６号公報）に開示される圧縮機のケーシングには、ターミナルガード及びターミナルカバーが設けられている。
【発明の概要】
【発明が解決しようとする課題】
【０００３】
ターミナルガードの内側には複数のターミナルピンが設置される。これらのターミナルピンの間で短絡が起こると、圧縮機が損傷するおそれがある。短絡は、例えば、隣接するターミナルピンどうしが接触することによって起こる。あるいは、短絡は、特定のターミナルピンに接続されるべきリード線が、誤ったターミナルピンと接触することによって起こる。
【課題を解決するための手段】
【０００４】
第１観点の圧縮機は、ケーシングと、複数のターミナルピンと、ターミナル保護部と、を備える。複数のターミナルピンは、ケーシングに固定される。ターミナル保護部は、前記複数のターミナルピンを覆う。ターミナル保護部は、仕切りを有する。仕切りは、複数のターミナルピンを個別に仕切る。
【０００５】
この構成によれば、複数のターミナルピンを仕切りが個別に仕切る。したがって、隣接するターミナルピンの間の短絡の発生が抑制される。
【０００６】
第２観点の圧縮機は、第１観点の圧縮機であって、ターミナル保護部が、ターミナルガードと、ターミナルカバーと、を有する。ターミナルガードは、ケーシングに固定され、複数のターミナルピンを囲う。ターミナルカバーは、ターミナルガードに着脱可能に取り付けられる。仕切りはターミナルカバーに設けられている。
【０００７】
この構成によれば、ケーシングに固定され、ターミナルピンを囲うターミナルガードが存在する。したがって、ターミナルピンの側面がターミナルカバーによって隠されるので、誤ったリード線がターミナルピンに接触する事故を抑制できる。
【０００８】
第３観点の圧縮機は、第２観点の圧縮機であって、ターミナルカバーが、ターミナルガードの開口部を覆う本体をさらに有する。仕切りは、本体と一体の部品である。
【０００９】
この構成によれば、仕切りはターミナルカバーの本体と一体の部品である。したがって、ターミナルカバーの装着により、接触事故による短絡が自働的に抑制される。
【００１０】
第４観点の圧縮機は、第２観点又は第３観点の圧縮機であって、仕切りが、第１仕切り部と、第２仕切り部と、を有する。第１仕切り部は、隣接する複数のターミナルピンを仕切る。第２仕切り部は、複数のターミナルピンをターミナルガードと仕切る。
【００１１】
この構成によれば、第１仕切り部と第２仕切り部が存在する。したがって、ターミナルピン間の短絡のみならず、ターミナルピンと異物との接触もが抑制される。
【００１２】
第５観点の圧縮機は、第４観点の圧縮機であって、第２仕切り部には、切欠きが形成されている。切欠きは、複数のターミナルピンにそれぞれ装着される端子から延びるリード線を通過させるためのものである。
【００１３】
この構成によれば、リード線が第２仕切り部を貫通することができる。したがって、仕切り部がリード線の接続を阻害しない。
【００１４】
第６観点の圧縮機は、第５観点の圧縮機であって、切欠きの幅はリード線の太さよりも大きく、かつ、端子の厚みよりも小さい。
【００１５】
この構成によれば、ターミナルピンに装着された端子が第２仕切りを越えて移動することがない。したがって、接触事故を抑制することができる。
【図面の簡単な説明】
【００１６】
【図１】一実施形態に係る圧縮機１０の断面図である。
【図２】圧縮機１０の他の断面図である。
【図３】圧縮機１０の側面図である。
【図４】ターミナルガードの内側を示す図である。
【図５】ターミナルガードの側面図である。
【図６】仕切りを示す模式図である。
【図７】ターミナルピンと仕切りを示す模式図である。
【図８】仕切りを示す模式図である。
【図９】リード線と端子を示す模式図である。
【発明を実施するための形態】
【００１７】
（１）全体構成
図１は一実施形態に係る圧縮機１０を示す。圧縮機１０は、流体である冷媒を圧縮するために空気調和装置などの冷凍機械に搭載されるものである。圧縮機１０は、スクロール圧縮機である。圧縮機１０は、ケーシング２０、モータ３０、クランク軸３５、圧縮機構４０を有する。ケーシング２０は、胴体部２１、上部２２、下部２３を含む。圧縮機構４０は、固定スクロール４１と可動スクロール４２を含み、圧縮室４３を規定する。
【００１８】
外部から供給された電力により、モータ３０のステータ３１に設置されたコイルが励磁され、それによってロータ３２が回転する。ロータ３２の回転はクランク軸３５の主軸部３６に伝達される。クランク軸３５の偏心部３７から伝達される動力により、可動スクロール４２は固定スクロール４１に対して公転する。吸入管１５から取り込まれた低圧ガス冷媒は、圧縮機構４０の外周側の圧縮室４３に入る。圧縮室４３は可動スクロール４２の公転によって、容積を減少させながら圧縮機構４０の中央へ移動する。その過程で低圧ガス冷媒は圧縮されて高圧ガス冷媒になる。高圧ガス冷媒は、吐出口４４から圧縮機構４０の外へ吐出され、ケーシング内部空間へ移動する。その後、高圧ガス冷媒は吐出管１６からケーシング２０の外へ吐出される。
【００１９】
（２）詳細構成
図２は、図１とは異なる断面における圧縮機１０の断面図である。図３は圧縮機１０の外観を示す図である。図２及び図３から理解されるように、圧縮機１０はさらに、ターミナルピン２９と、物体やユーザがターミナルピン２９に接触することを防ぐためのターミナル保護部９０とを有する。ターミナル保護部９０は、ターミナルガード８０、ターミナルカバー７０、締結部材６１を有する。以下に各要素について詳述する。
【００２０】
（２−１）ターミナルピン２９
ターミナルピン２９は、モータ３０に電力を供給するためのものである。ターミナルピン２９は、ケーシング２０から突出するように設置されている。ターミナルピン２９の外端は電源供給用のリード線２５（図７）に接続される。ターミナルピン２９の内端はステータ３１に設置されたコイルに接続される。
【００２１】
（２−２）ターミナルガード８０
ターミナルガード８０は、ケーシング２０に固定され、ターミナルピン２９の群を囲う。ターミナルガード８０は、例えば、ケーシング２０に溶接された金属製の部材である。ターミナルガード８０には締結座８１が設けられている。締結座８１は、例えばネジ溝を有している。
【００２２】
（２−３）ターミナルカバー７０
ターミナルカバー７０は、ターミナルガード８０に着脱可能に取り付けられる。ターミナルカバー７０は、ターミナルピン２９を覆うように設置される。ターミナルカバー７０は、ターミナルガード８０の内側に嵌合するよう構成されている。ターミナルカバー７０の構造については、後述する。
【００２３】
（２−４）締結部材６１
締結部材６１は、ターミナルカバー７０をターミナルガード８０に対して締結することによって、ターミナルカバー７０を固定するためのものである。締結部材６１は、例えばネジ溝を有するボルトである。締結部材６１は締結座８１に嵌合するように構成されている。
【００２４】
（３）ターミナルカバー７０の構造 
図４及び図５はターミナルカバー７０を示す。ターミナルカバー７０は、樹脂製の本体７１と、樹脂製の仕切り７５と、金属製のスペーサ７３を含む。
【００２５】
本体７１は全体的にドーム形状であり、上面７１ａ及び側面７１ｂを有している。上面７１ａ及び側面７１ｂは、ターミナルガード８０の開口部を覆い、ターミナルピン２９を覆う。側面７１ｂの１つには、ターミナルピン２９に接続されたリード線２５をターミナル保護部９０の外部へ出すためのリード線通過部７１ｄが設けられている。リード線通過部７１ｄは、例えば穴又は切欠などの形状を有する。ターミナルカバー７０の４つの角には、貫通孔７２が設けられている。それぞれの貫通孔７２にはスペーサ７３が収容されている。スペーサ７３は締結部材通路７４を有しており、円筒状である。すなわち、スペーサ７３の断面は環状である。締結部材通路７４は、締結部材６１を通過させるために用いられる。
【００２６】
仕切り７５は複数のターミナルピン２９を個別に仕切る。仕切り７５は、本体７１と一体の部品である。図４に示すように、仕切り７５は、Ｙ字形の第１仕切り部７６と、第１仕切り部７６を覆う円筒形の第２仕切り部７７からなる。
【００２７】
図６に仕切り７５の拡大図を示す。第１仕切り部７６は、中心辺７６ｏにおいて互いに接合された第１ストリップ７６１、第２ストリップ７６２、第３ストリップ７６３を有する。第１ストリップ７６１は、中心辺７６ｏとは反対側の第１外周辺７６ａにおいて第２仕切り部７７と接合される。第２ストリップ７６２は、中心辺７６ｏとは反対側の第２外周辺７６ｂにおいて第２仕切り部７７と接合される。第３ストリップ７６３は、中心辺７６ｏとは反対側の第３外周辺７６ｃにおいて第２仕切り部７７と接合される。第１仕切り部７６と第２仕切り部７７は、３つの部屋Ｒ１、Ｒ２、Ｒ３を作っている。ターミナルカバー７０がターミナルガード８０に装着された時、それぞれの部屋Ｒ１、Ｒ２、Ｒ３には１つのターミナルピン２９が収容される。
【００２８】
第１仕切り部７６は、隣接する２つのターミナルピン２９を仕切ることによって、それらの短絡の発生を抑制する。第２仕切り部７７は、複数のターミナルピン２９とターミナルガード８０とを仕切る。すなわち、第２仕切り部７７は、複数のターミナルピン２９を外方から囲む。
【００２９】
図７は、ターミナルピン２９にリード線２５を接続した状態の模式図である。端子２６は複数のターミナルピン２９にそれぞれ装着される。リード線２５は端子２６から延びる。第２仕切り部７７には切欠き７８が形成されている。リード線２５は、切欠き７８において第２仕切り部７７を貫通する。
【００３０】
図８は、第２仕切りに設けられる切欠き７８を示す。図９は、リード線２５及び端子２６を示す。端子２６の空洞２７にターミナルピン２９が挿入されることによって、リード線２５はターミナルピン２９に接続する。端子２６の厚みｃは、リード線２５の太さａよりも大きい。切欠き７８の幅ｂは、リード線２５の太さａよりも大きく、かつ、端子２６の厚みｃよりも小さい。第２仕切り部７７は、ターミナルピン２９から端子２６が外れた場合に、安全のために端子２６をその部屋Ｒ１、Ｒ２、Ｒ３の中に拘束する。
【００３１】
（４）特徴
（４−１）
複数のターミナルピン２９を仕切り７５が個別に仕切る。したがって、隣接するターミナルピン２９の間の短絡の発生が抑制される。
【００３２】
（４−２）
ケーシング２０に固定され、ターミナルピン２９を囲うターミナルガード８０が存在する。したがって、ターミナルピン２９の側面がターミナルガード８０によって隠されるので、誤ったリード線２５がターミナルピン２９に接触する事故を抑制できる。
【００３３】
（４−３）
仕切り７５はターミナルカバー７０の本体７１と一体の部品である。したがって、ターミナルカバー７０の装着により、接触事故による短絡が自働的に抑制される。
【００３４】
（４−４）
第１仕切り部７６と第２仕切り部７７が存在する。したがって、ターミナルピン２９の間の短絡のみならず、ターミナルピン２９と異物との接触もが抑制される。
【００３５】
（４−５）
リード線２５が第２仕切り部７７を貫通することができる。したがって、仕切り７５がリード線２５の接続を阻害しない。
【００３６】
（４−６）
ターミナルピン２９に装着された端子２６が第２仕切り部７７を越えて移動することがない。したがって、接触事故を抑制することができる。
【００３７】
（５）変形例
上述の実施形態に係る圧縮機１０はスクロール型圧縮機である。これに代えて、圧縮機１０は、ロータリー型圧縮機でもよい。
＜むすび＞
以上、本開示の実施形態を説明したが、特許請求の範囲に記載された本開示の趣旨及び範囲から逸脱することなく、形態や詳細の多様な変更が可能なことが理解されるであろう。
【符号の説明】
【００３８】
１０    ：圧縮機
２０    ：ケーシング
２５    ：リード線
２６    ：端子
２９    ：ターミナルピン
７０    ：ターミナルカバー
７１    ：本体
７５    ：仕切り
７６    ：第１仕切り部
７７    ：第２仕切り部
７８    ：切欠き
８０    ：ターミナルガード
９０    ：ターミナル保護部
ａ      ：リード線の太さ
ｂ      ：切欠きの幅
ｃ      ：端子の厚み
【先行技術文献】
【特許文献】
【００３９】
【特許文献１】特開２０１８−１６８７６号公報
【図１】
2019163747.tif 000003
【図２】
2019163747.tif 000004
【図３】
2019163747.tif 000005
【図４】
2019163747.tif 000006
【図５】
2019163747.tif 000007
【図６】
2019163747.tif 000008
【図７】
2019163747.tif 000009
【図８】
2019163747.tif 000010
【図９】
2019163747.tif 000011